(57)【要約】    【課題】  印刷装置による印刷が完了する前に、撮影に利用することができる撮像装置を提供する。    【解決手段】デジタルカメラ１は、全プリント用のデータの転送が完了した時点で、クレードル装置２に対し転送完了通知を行い（ステップＳ６０８）、表示／発音部５４で終了表示又は終了発音を行う（ステップＳ６０９）。また、ステップＳ６０９の終了表示又は終了発音をして、所定時間経過後に、表示／発音部５４の終了表示又は終了発音を消して（オートシャットオフ機能の実行）、電源部８６の自動充電が開始される（ステップＳ６１０）。【選択図】      図６
2007036697.tif 000002
【特許請求の範囲】
【請求項１】
クレードル装置に接続可能な撮像装置であって、
被写体を撮影する撮影手段と、
前記撮影手段により撮影された画像データを前記クレードル装置に転送する転送手段と、
前記転送手段により前記クレードル装置への画像データの転送が完了したときに、所定の情報を表示又は発音する表示／発音手段と
を備えることを特徴とする撮像装置。
【請求項２】
充電可能な電源手段と、前記表示／発音手段により前記所定の情報の表示又は発音が開始されて、所定時間経過後に、当該表示／発音手段による前記所定の情報の表示又は発音を終了させ、前記電源手段の充電を開始する制御手段とを備えることを特徴とする請求項１記載の撮像装置。
【請求項３】
前記所定の情報は、前記転送手段によるデータ転送が完了したこと、前記撮像装置が前記クレードル装置から取り外し可能であること、及び前記電源手段の充電を開始することの少なくとも１つであることを特徴とする請求項２記載の撮像装置。
【請求項４】
前記撮像装置は、さらに印刷装置と接続可能であり、
前記制御手段は、前記撮像装置が前記クレードル装置を介して前記印刷装置に接続されているときと、前記撮像装置が前記印刷装置に接続されているときとで、前記所定の情報の内容を変更することを特徴とする請求項１乃至３のいずれか１項記載の撮像装置。
【請求項５】
撮像装置及び印刷装置に接続可能なクレードル装置であって、
前記撮像装置から画像データ及び当該画像データの転送完了通知を受信する受信手段と、
前記受信手段により前記画像データの転送完了通知が受信されたときに、所定の情報を表示又は発音する表示／発音手段と
を備えることを特徴とするクレードル装置。
【請求項６】
前記所定の情報は、前記画像データの転送が完了したこと、及び前記撮像装置が前記クレードル装置から取り外し可能であることの少なくともいずれか１つであることを特徴とする請求項５記載のクレードル装置。
【請求項７】
前記受信手段により受信された画像データを記憶する記憶手段と、
前記受信手段により前記撮像装置から前記画像データの転送要求が受信されたときに、前記記憶手段の空きサイズと前記転送要求に対応する画像データのサイズとを比較する比較手段と、
前記記憶手段の空きサイズが前記転送要求に対応する画像データのサイズよりも大きい場合に、前記撮像装置に前記画像データの転送が可能である旨を返信する返信手段とを備えることを特徴とする請求項５又は６記載のクレードル装置。
【請求項８】
クレードル装置に接続可能な撮像装置の制御方法であって、
被写体を撮影する撮影工程と、
前記撮影工程により撮影された画像データを前記クレードル装置に転送する転送工程と、
前記転送工程により前記クレードル装置への画像データの転送が完了したときに、所定の情報を表示又は発音する表示／発音工程と
を備えることを特徴とする撮像装置の制御方法。
【請求項９】
撮像装置及び印刷装置に接続可能なクレードル装置の制御方法であって、
前記撮像装置から画像データ及び当該画像データの転送完了通知を受信する受信工程と、
前記受信工程により前記画像データの転送完了通知が受信されたときに、所定の情報を表示又は発音する表示／発音工程と
を備えることを特徴とするクレードル装置の制御方法。
【請求項１０】
クレードル装置に接続可能な撮像装置で実行される制御プログラムであって、
被写体を撮影する撮影モジュールと、
前記撮影モジュールにより撮影された画像データを前記クレードル装置に転送する転送モジュールと、
前記転送モジュールにより前記クレードル装置への画像データの転送が完了したときに、所定の情報を表示又は発音する表示／発音モジュールと
を備えることを特徴とする制御プログラム。
【請求項１１】
撮像装置及び印刷装置に接続可能なクレードル装置で実行される制御プログラムであって、
前記撮像装置から画像データ及び当該画像データの転送完了通知を受信する受信モジュールと、
前記受信モジュールにより前記画像データの転送完了通知が受信されたときに、所定の情報を表示又は発音する表示／発音モジュールと
を備えることを特徴とする制御プログラム。
【発明の詳細な説明】
【技術分野】
【０００１】
本発明は、静止画像や動画像を撮像又は記録する撮像装置及びその制御方法、当該撮像装置に接続可能なクレードル装置及びその制御方法、並びに制御プログラムに関する。
【背景技術】
【０００２】
従来より、デジタルカメラとの接続インターフェースを具備したプリンタが知られており、このプリンタではデジタルカメラから直接プリントできる機能が提供されている（特許文献１参照）。
【特許文献１】特開２００３−２０９７２５号公報
【発明の開示】
【発明が解決しようとする課題】
【０００３】
しかしながら、デジタルカメラから直接プリントを可能とするプリンタでは、印刷の開始から完了までデジタルカメラと接続されている必要がある。この結果、デジタルカメラのユーザは、印刷の開始から完了までの間は、デジタルカメラを撮影に使用できず、シャッターチャンスを逃すことがあった。
【０００４】
本発明の目的は、印刷装置による印刷が完了する前に、撮影に利用することができる撮像装置及びその制御方法、クレードル装置及びその制御方法、並びに制御プログラムを提供することにある。
【課題を解決するための手段】
【０００５】
上記目的を達成するため、請求項１の撮像装置は、クレードル装置に接続可能な撮像装置であって、被写体を撮影する撮影手段と、前記撮影手段により撮影された画像データを前記クレードル装置に転送する転送手段と、前記転送手段により前記クレードル装置への画像データの転送が完了したときに、所定の情報を表示又は発音する表示／発音手段とを備えることを特徴とする。
【０００６】
請求項５のクレードル装置は、撮像装置及び印刷装置に接続可能なクレードル装置であって、前記撮像装置から画像データ及び当該画像データの転送完了通知を受信する受信手段と、前記受信手段により前記画像データの転送完了通知が受信されたときに、所定の情報を表示又は発音する表示／発音手段とを備えることを特徴とする。
【発明の効果】
【０００７】
本願発明によれば、撮像装置において、クレードル装置への画像データの転送が完了したときに、所定の情報が表示又は発音される。これにより、撮像装置からクレードル装置への画像データの転送が完了した時点で、ユーザは撮像装置がクレードル装置から離脱可能であることを認識でき、プリンタによる印刷が完了する前に、撮像装置を撮影に利用することができる。
【０００８】
また、クレードル装置においても、画像データの転送完了通知が受信されたときに、所定の情報が表示又は発音されるので、上記と同様の効果を奏する。
【発明を実施するための最良の形態】
【０００９】
以下、図面を参照して本発明の実施の形態を説明する。
【００１０】
図１は、本発明の実施の形態に係る撮像装置を含む印刷システムの構成を示す図である。
【００１１】
図１において、印刷システムは、撮像装置としてのデジタルカメラ１と、クレードル装置２と、プリンタ３とを備えている。デジタルカメラ１とプリンタ３はクレードル装置２を介して互いに接続されている。
【００１２】
図２は、デジタルカメラ１の構成を示すブロック図である。
【００１３】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１４】
１８は撮像素子１４、Ａ／Ｄ変換器１６及びＤ／Ａ変換器２６にクロック信号や制御信号を供給するタイミング発生回路であり、メモリ制御回路２２及びシステム制御回路５０により制御される。
【００１５】
２０は画像処理回路であり、Ａ／Ｄ変換器１６からのデータ又はメモリ制御回路２２からのデータに対して所定の画素補間処理や色変換処理を行う。
【００１６】
さらに、画像処理回路２０は、撮像した画像データを用いて所定の演算処理を行い、これにより得られた演算結果に基づいてＴＴＬ方式のＡＷＢ（オートホワイトバランス）処理も行っている。
【００１７】
２２はメモリ制御回路であり、Ａ／Ｄ変換器１６、タイミング発生回路１８、画像処理回路２０、画像表示メモリ２４、Ｄ／Ａ変換器２６、メモリ３０、及び圧縮・伸長回路３２を制御する。
【００１８】
Ａ／Ｄ変換器１６のデータが画像処理回路２０、メモリ制御回路２２を介して、又はメモリ制御回路２２のみを介して、画像表示メモリ２４又はメモリ３０に書き込まれる。
【００１９】
２４は画像表示メモリ、２６はＤ／Ａ変換器である。２８はＴＦＴ−ＬＣＤ（Thin Film Transistor - Liquid Crystal Display）等から成る画像表示部であり、画像表示メモリ２４に書き込まれた表示用の画像データはＤ／Ａ変換器２６を介して画像表示部２８により表示される。
【００２０】
このとき表示用の画像データには、純粋な画像データと、文字やアイコン表示といったキャラクタ表示用データとの２種類存在し、それぞれ画像表示メモリ２４に格納される。画像表示メモリ２４に格納された各データはメモリ制御部２２において合成され、Ｄ／Ａ変換器２６を介して画像表示部２８に出力される。画像表示部２８を用いて撮像した画像データを逐次表示すれば、電子ファインダー機能を実現することが可能である。
【００２１】
また、画像表示部２８は、システム制御回路５０の指示により任意に表示をＯＮ／ＯＦＦすることが可能であり、表示をＯＦＦにした場合にはデジタルカメラ１の電力消費を大幅に低減することができる。
【００２２】
さらに画像表示部２８はバックライト２９の発光強度に応じて表示される明るさが変更する。バックライト２９の発光強度はバックライト制御部４１において設定変更可能である。
【００２３】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００２４】
３２は適応離散コサイン変換（ＡＤＣＴ）等により画像データを圧縮伸長する圧縮・伸長回路であり、メモリ３０に格納された画像を読み込んで圧縮処理又は伸長処理を行い、処理を終えたデータをメモリ３０に書き込む。
【００２５】
４０は絞り機能を備えるシャッター１２を制御する露光制御部であり、フラッシュ４８と連携することによりフラッシュ調光機能も有する。
【００２６】
４２は撮影レンズ１０のフォーカシングを制御する測距制御部であり、４４は撮影レンズ１０のズーミングを制御するズーム制御部であり、４６は保護部１０２の動作を制御するバリア制御部である。
【００２７】
４８はフラッシュであり、ＡＦ補助光の投光機能及びフラッシュ調光機能も有する。
【００２８】
システム制御回路５０は画像処理回路２０で得られた演算結果に基づいて露光制御部４０及び測距制御部４２に対して制御を行う。これにより、露光制御部４０及び測距制御部４２により、ＴＴＬ（スルー・ザ・レンズ）方式のＡＦ（オートフォーカス）処理、ＡＥ（自動露出）処理、ＥＦ（フラッシュプリ発光）処理等が行われる。さらに、システム制御回路５０はデジタルカメラ１００全体を制御し、後述する転送カウンタ５１を備えている。
【００２９】
５２はシステム制御回路５０の動作用の定数、変数、プログラム等を記憶するメモリである。
【００３０】
５４はシステム制御回路５０でのプログラムの実行に応じて、文字、画像、音声等を用いて動作状態やメッセージ等を表示及び発音する表示／発音部である。
【００３１】
表示／発音部５４は、例えばＬＣＤやＬＥＤ、発音素子等の組み合わせにより構成されている。また、表示／発音部５４の一部の表示機能は、光学ファインダー１０４内に設置されている。
【００３２】
また、表示／発音部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示等がある。
【００３３】
また、絞り値表示、露出補正表示、フラッシュ表示、赤目緩和表示、マクロ撮影表示、ブザー設定表示、時計用電池残量表示、電池残量表示、エラー表示、複数桁の数字による情報表示等もＬＣＤ等に表示される。さらに、記録媒体２００，２１０の着脱状態表示、通信Ｉ／Ｆ動作表示、及び日付け・時刻表示等もＬＣＤ等に表示される。
【００３４】
また、表示部５４の表示内容のうち、光学ファインダー１０４内に表示するものとしては、合焦表示、手振れ警告表示、フラッシュ充電表示、シャッタースピード表示、絞り値表示、及び露出補正表示等がある。５６は電気的に消去・記録可能な不揮発性メモリであり、例えばＥＥＰＲＯＭ等が用いられる。
【００３５】
６０、６２、６４、６６、６８及び７０は、システム制御回路５０の各種の動作指示を入力するための操作手段であり、スイッチやダイアル、タッチパネル、視線検知によるポインティング、音声認識装置等の単数又は複数の組み合わせで構成される。
【００３６】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することができる。
【００３７】
６２はシャッタースイッチＳＷ（１）で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３８】
６４はシャッタースイッチＳＷ（２）で、不図示のシャッターボタンの操作完了でＯＮとなり、撮像素子１４から読み出した信号をＡ／Ｄ変換器１６及びメモリ制御回路２２を介してメモリ３０に画像データを書き込む露光処理が実行される。そして、画像処理回路２０やメモリ制御回路２２での演算を用いた現像処理を行うため、メモリ３０から画像データを読み出し、必要な賀状処理を行って、圧縮・伸長回路３２で圧縮を行う。圧縮された画像データは、記録媒体２００又は２１０に画像データを書き込まれる。このような一連の処理が、システム制御回路５０の制御のもと、ＳＷ（１）６２への指示により開始される。
【００３９】
６６は画像表示ＯＮ／ＯＦＦスイッチで、画像表示部２８のＯＮ／ＯＦＦを設定することができる。この機能により、光学ファインダー１０４を用いて撮影を行う際に、ＴＦＴ−ＬＣＤ等から成る画像表示部２８への電流供給を遮断することで、省電力を図ることが可能となる。
【００４０】
６８はクイックレビューＯＮ／ＯＦＦスイッチで、撮影直後に撮影した画像データを自動再生するクイックレビュー機能を設定する。なお、本実施の形態では、特に、画像表示部２８をＯＦＦとした場合におけるクイックレビュー機能の設定をする機能を備えるものとする。
【００４１】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン等がある。また、操作部７０には、メニュー上移動ボタン、メニュー下移動ボタン、メニュー右移動ボタン、メニュー左移動ボタン、再生画像移動＋（プラス）ボタン、再生画像−（マイナス）ボタン等がある。操作部７０にはさらに、撮影画質選択ボタン、露出補正ボタン、日付／時間設定ボタン、シングル再生マルチ再生切替ボタン等がある。
【００４２】
８０は電源制御部で、電池検出回路、ＤＣ−ＤＣコンバータ、及び通電するブロックを切り替えるスイッチ回路等により構成されている。これらにより、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４３】
８２及び８４はコネクタであり、８６はアルカリ電池やリチウム電池等の一次電池や、NiCd電池やNiMH電池、Li電池等の二次電池又はACアダプター等からなる電源部である。
【００４４】
９０及び９４はメモリカードやハードディスク等の記録媒体とのインタフェースである。９２及び９６はメモリカードやハードディスク等の記録媒体と接続を行うコネクタである。９８はコネクタ９２又は９６に記録媒体２００又は２１０が装着されているか否かを検知する記録媒体着脱検知部である。
【００４５】
本実施の形態では、デジタルカメラ１が記録媒体を取り付けるインターフェース及びコネクタを２つ備えているが、記録媒体を取り付けるインターフェース及びコネクタは、単数でも複数でもよい。また、異なる規格のインターフェース及びコネクタを組み合わせて備える構成としてもよい。インターフェース及びコネクタは、PCMCIAカードやCF（コンパクトフラッシュ（登録商標））カード等の規格に準拠したものを用いて構成してもよい。インターフェースは無線通信手段としても良い。無線通信手段を利用する場合には、接続機器同士は物理的な接続をしていないが、特許請求の範囲に記載する「接続」は無線通信により通信可能な状態の場合も含むものとする。
【００４６】
さらに、インタフェース９０，９４及びコネクタ９２，９６をPCMCIAカードやCF（コンパクトフラッシュ（登録商標））カード等の規格に準拠したものを用いて構成した場合、LANカードやモデムカード、USBカード、IEEE1394カード、P1284カード、SCSIカード、及びPHSの通信カード等の各種通信カードを上記インタフェース及びコネクタに接続することにより、コンピュータ又はプリンタ等の周辺機器との間で画像データや画像データに付属した管理情報を送受信することができる。
【００４７】
保護部１０２は、デジタルカメラ１のレンズ１０やその周辺を覆う事により、レンズ１０やその周辺の汚れや破損を防止する。
【００４８】
光学ファインダ１０４は、画像表示部２８による電子ファインダー機能を使用することなしに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００４９】
１１０は通信部であり、RS232CやUSB、IEEE1394、P1284、SCSI、モデム、LAN、無線通信、等の各種通信機能を有する。
【００５０】
１１２は通信部１１０によりデジタルカメラ１を他の機器と接続するコネクタ（無線通信の場合はアンテナ）である。
【００５１】
記録媒体２００はメモリカードやハードディスク等であり、半導体メモリや磁気ディスク等から構成される記録部２０２、デジタルカメラ１００とのインタフェース２０４、及びデジタルカメラ１００と接続を行うコネクタ２０６を備えている。
【００５２】
記録媒体２１０もメモリカードやハードディスク等であり、半導体メモリや磁気ディスク等から構成される記録部２１２、デジタルカメラ１００とのインタフェース２１４、及びデジタルカメラ１００と接続を行うコネクタ２１６を備えている。
【００５３】
図３は、クレードル装置２の構成を示すブロック図である。
【００５４】
同図において、３００はクレードル装置２のシステム制御部である。３１１はデジタルカメラ１と接続するためのカメラ側コネクタであり、デジタルカメラ１との通信が無線の場合、カメラ側コネクタ３１１はアンテナとなる。
【００５５】
３０１はカメラ側通信制御部であり、カメラ側コネクタ３１１がデジタルカメラ１と接続されている場合、デジタルカメラ１との通信を制御する。３０２はカメラ検出部であり、カメラ側コネクタ３１１におけるデジタルカメラ１の着脱状態を検出する。３０３は表示／発音部であり、ＬＣＤパネルやＬＥＤ、発音素子等の組み合わせにより構成されている。
【００５６】
３１２はプリンタ３と接続するためのプリンタ側コネクタであり、プリンタ３との通信が無線の場合、プリンタ側コネクタ３１２はアンテナとなる。３０４はプリンタ側通信制御部であり、プリンタ側コネクタ３１２がプリンタ３と接続されている場合、プリンタ３との通信を制御する。
【００５７】
３０５は電源制御部であり、電池検出回路、ＤＣ−ＤＣコンバータ、通電するブロックを切り替えるスイッチ回路等により構成されている。これらにより、電池の装着の有無、電池の種類、電池残量の検出を行い、検出結果及びシステム制御部３００の指示に基づいてＤＣ−ＤＣコンバータを制御し、所定の電圧を所定期間、カメラ側通信制御部３０１、カメラ検出部３０２、表示／発音部３０３、プリンタ側通信制御部３０４、メモリ３１０等へ供給する。
【００５８】
３０８はアルカリ電池やリチウム電池等の一次電池や、NiCd電池やNiMH電池、Li電池等の二次電池、ACアダプター等からなる電源部である。
【００５９】
３０６，３０７はコネクタであり、電源部３０８と電源制御部３０５とを接続するために使用する。３０９は電源供給部であり、例えばＵＳＢなどによって電源制御部３０５からの電源供給をデジタルカメラ１に供給することが可能である。
【００６０】
３１０はメモリであり、デジタルカメラ１から転送される画像データ等を一時的に記憶する領域である。メモリ３１０はＥＥＰＲＯＭ、メモリカード又はハードディスク等の書き換え可能な記録媒体であればよい。
【００６１】
図４は、プリンタ３の構成を示すブロック図である。
【００６２】
４００はプリンタ３のシステム制御部である。４１０はメモリであり、クレードル装置２から転送されるデータを格納したり、圧縮伸張部４１１や画像処理部４１２で扱うデータを格納する。圧縮伸張部４１１はクレードル装置２から転送された圧縮データの伸張処理を実行し、画像処理部４１２は印刷画像の画像処理を実行する。
【００６３】
４０１は給排紙制御部であり、トレイ４０２からの給紙制御およびトレイ４０２への排紙制御をつかさどる。
【００６４】
４０４は外部機器との接続コネクタであり、外部機器との通信が無線の場合、接続コネクタ４０４はアンテナとなる。
【００６５】
４０３はクレードル装置２等の外部機器との通信制御部であり、コネクタ４０４が外部機器と接続されている場合、外部機器との通信を制御する。４０５は印刷制御部であり、印刷制御を管理する。
【００６６】
４０９はアルカリ電池やリチウム電池等の一次電池、NiCd電池やNiMH電池、Li電池等の二次電池、ACアダプター等からなる電源部である。
【００６７】
４０６は電源制御部であり、電池検出回路、ＤＣ−ＤＣコンバータ、通電するブロックを切り替えるスイッチ回路等により構成されている。これらにより、電池の装着の有無、電池の種類、電池残量の検出を行い、検出結果及びシステム制御部４００の指示に基づいてＤＣ−ＤＣコンバータを制御し、所定の電圧の電力を所定期間、各部へ供給する。具体的には、給排紙制御部４０１、通信制御部４０３、印刷制御部４０５、メモリ４１０、圧縮伸張部４１１及び画像処理部４１２等に供給される。４０７，４０８はコネクタであり、電源部４０９と電源制御部４０６とを接続するために使用する。
【００６８】
デジタルカメラ１で撮影された画像は記録媒体２００又は２１０（ここでは記録媒体２００とする）にファイルとして格納される。デジタルカメラ１の再生モードにおいて、撮影画像は記録媒体２００からメモリ３０に読み出される。読み出された画像が圧縮データの場合、圧縮伸張部３２において伸張処理が実行され、その伸張処理が実行されたデータが画像表示メモリ２４に格納され、画像表示部２８に再生表示される。
【００６９】
デジタルカメラ１の再生モードでは、画像表示部２８で再生画像を表示しながら、操作部７０でプリントの指定をすること（以下「プリント指定」という）が可能である。
【００７０】
プリント指定では各画像に対し、印刷枚数等の指定が可能である。また全画像に対するプリント指定も可能である。プリント指定された情報（以下「プリント指定情報」という）は記録媒体２００にプリント指定ファイルとして記憶される。
【００７１】
図５は、プリント指定ファイルに含まれるプリント指定情報の一例を示す図である。
【００７２】
同図に示すように、プリント指定情報５００は、印刷ジョブ開始の識別子５０１、印刷ジョブ番号５０２、印刷種類５０３、印刷枚数５０４からなる。また、印刷対象となる画像データのフォーマット定義５０５、及び印刷対象となる画像データが記録されている記録媒体上のアドレス５０６に関する情報を備えている。
【００７３】
図６は、クレードル装置２と接続したときにデジタルカメラ１で実行される処理を示すフローチャートである。本処理は主としてシステム制御回路５０が実行する。
【００７４】
まず、デジタルカメラ１がクレードル装置２に接続されると、接続コネクタ１１２を介してクレードル装置２とネゴシエーションを行い（ステップＳ６０１）、通信が成功したか否かを判別する（ステップＳ６０２）。
【００７５】
ステップＳ６０２の判別の結果、通信が失敗した場合には、本処理を終了する。一方、通信が成功した場合は、記憶媒体２００の中からプリント指定ファイルを検索し（ステップＳ６０３）、記憶媒体２００の中にプリント指定ファイルが存在するか否かを判別する（ステップＳ６０４）。
【００７６】
ステップＳ６０４の判別の結果、記憶媒体２００の中にプリント指定ファイルが存在しない場合、本処理を終了する。一方、記憶媒体２００の中にプリント指定ファイルが存在する場合、クレードル装置２に対しプリントモードの設定を行う（ステップＳ６０５）。その後、プリントモードの設定がＯＫであることを示す応答をクレードル装置２から受信できたか否かを判別する（ステップＳ６０６）。
【００７７】
プリントモードの設定がＯＫであることを示す応答をクレードル装置２から受信できない場合は、本処理を終了する。一方、プリントモードの設定がＯＫであることを示す応答をクレードル装置２から受信できた場合には、プリント処理を実行する（ステップＳ６０７）。プリント用のデータをクレードル装置２に転送し、全プリント用のデータの転送が完了した時点で、クレードル装置２に対し転送完了通知を行う（ステップＳ６０８）。その後、デジタルカメラ１の表示／発音部５４で終了表示又は終了発音を行う（ステップＳ６０９）。
【００７８】
この終了表示又は終了発音とは、デジタルカメラ１をクレードル装置２から取り外すことができることをユーザに認識させる表示又は音声である。例えば、この表示又は音声は、「データ転送が終了しました」や「デジタルカメラ１を取り外すことができます」等である。
【００７９】
ステップＳ６０９の終了表示又は終了発音をして、所定時間経過後に、表示／発音部５４の終了表示又は終了発音を消して（オートシャットオフ機能の実行）、電源部８６の自動充電を開始し（ステップＳ６１０）、本処理を終了する。なお、ステップＳ６１０の自動充電が開始されると、本処理が終了しても、電源部８６の充電完了までは充電が継続される。
【００８０】
図７は、図６のステップＳ６０７のプリント処理を詳細に示すフローチャートである。本処理は主としてシステム制御回路５０が実行する。
【００８１】
プリント処理が開始されると、記憶媒体２００の中に存在するプリント指定ファイルを解析しプリント指定情報を取得し（ステップＳ７０１）、そのプリント指定情報に基づいてクレードル装置２に転送すべき転送画像数Ｎを算出する（ステップＳ７０２）。
【００８２】
転送カウンタ５１を０リセットした後（ステップＳ７０３）、転送カウンタ５１のカウント数Ｃが前記算出済みの転送画像数Ｎよりも小さいか否かを判別する（ステップＳ７０４）。
【００８３】
転送カウンタ５１のカウント数Ｃが前記算出済みの転送画像数Ｎよりも小さい場合には、ステップＳ７０１で取得されたプリント指定情報より転送ファイル名を決定する（ステップＳ７０５）。そして、記憶装置２００から前記決定されたファイル名のファイルをメモリ３０にリードする（ステップＳ７０６）。メモリ３０へのファイルのリードが完了した時点で、クレードル装置２に対し当該ファイルの転送要求を出す（ステップＳ７０７）。
【００８４】
クレードル装置２から当該ファイルの転送がＯＫである旨の返答を受信したか否かを判別する（ステップＳ７０８）。
【００８５】
ステップＳ７０８の判別の結果、クレードル装置２から当該ファイルの転送がＯＫである旨の返答を受信した場合は、前記取得したプリント指定情報より求められる印刷枚数の情報をクレードル装置２に転送し（ステップＳ７０９）、続いてメモリ３０にロードされているファイル（画像データ）をクレードル装置２に転送する（ステップＳ７１０）。転送が完了した時点で、転送カウンタ５１を１インクリメントし（ステップＳ７１１）、ステップＳ７０４に戻る。つまり、転送カウンタ数が転送画像数を超えない間、ステップＳ７０４〜ステップＳ７１１の処理を繰り返す。
【００８６】
上記ステップＳ７０４の判別の結果、転送カウンタ５１のカウント数Ｃが前記算出済みの転送画像数Ｎよりも大きい場合、又は上記ステップＳ７０８の判別の結果、クレードル装置２から当該ファイルの転送がＮＧである旨の返答を受信した場合は、転送終了通知をクレードル装置２に転送し（ステップＳ７１２）、本処理を終了する。
【００８７】
次に、クレードル装置２の説明を行う。
【００８８】
クレードル装置２のシステム制御部３００は、図８に示すように、アイドルモード８００とプリントモード８０１の２モード間で状態遷移を行う。
【００８９】
通常、アイドルモード８００で待機しており、デジタルカメラ１との間でネゴシエーションを実行しても、アイドルモード８００を保持する。デジタルカメラ１からプリント開始要求を受け取る（図６のステップＳ６０５）と、図９に示すフローチャートに従い状態遷移を行う。
【００９０】
図９は、クレードル装置２がプリント開始時に実行する処理を示すフローチャートである。本処理は主としてシステム制御部３００が実行する。
【００９１】
デジタルカメラ１からプリント開始要求を受け取ると、プリンタ３とネゴシエーションを行い（ステップＳ９０１）、プリンタ３に対する準備ができているか否かの判別を行う（ステップＳ９０２）。
【００９２】
プリンタ３に対する準備ができている場合には、クレードル装置２の状態をプリントモードに遷移し（ステップＳ９０３）、プリントモードの設定がＯＫであることを示す応答をデジタルカメラ１に送信し（ステップＳ９０４）、状態遷移を終了する。
【００９３】
一方、ステップＳ９０２でプリンタ３に対する準備ができていない場合には、プリントモードの設定がＮＧであることを示す応答をデジタルカメラ１に送信し（ステップＳ９０５）、状態遷移を終了する。
【００９４】
次に、クレードル装置２のプリントモード８０１時の動作を説明する。
【００９５】
プリントモード８０１では、デジタルカメラ１から転送されるデータをメモリ３１０に格納するが、その際に図１０で示す管理情報に基づきデータを管理する。この管理情報は、システム制御部３００又はメモリ３１０に格納されている。
【００９６】
図１０で示す管理情報は、管理番号１０００、印刷完了フラグ１００１、印刷枚数１００６、データの開始アドレス１００２，１００４、及びそのデータサイズ１００３，１００５の各データで構成される。管理番号１０００にはデータ列の識別子が格納され、印刷完了フラグ１００１は印刷完了時に設定されるフラグ情報が格納され、印刷枚数１００６は管理番号のデータの印刷枚数が格納される。データの開始アドレスとデータサイズについてはそれぞれ２つ保持することで、メモリ３１０をリングバッファとして管理することが可能である。
【００９７】
クレードル装置２のシステム制御部３００は、デジタルカメラ１から転送要求（データ）を受信すると、図１０の管理情報を参照し、メモリ３１０（バッファ）に空きがある場合、デジタルカメラ１にファイルの転送がＯＫである旨の返答を送信する。具体的には、転送要求に含まれる転送されるデータのサイズと管理情報に含まれる空きバッファのサイズとを比較し、転送されるデータのサイズが空きバッファのサイズよりも小さい場合に、デジタルカメラ１にファイルの転送がＯＫである旨の返答を送信する。システム制御部３００は、管理情報の印刷完了フラグ１００１を参照して、印刷完了済みのデータ領域を空きバッファのサイズとして計算する。
【００９８】
システム制御部３００は、デジタルカメラ１からの転送データの受信を完了した時点で図１０の管理情報を更新する。このとき、印刷完了フラグ１００１には「０」を設定しておく。管理情報を更新した後に、プリンタ３に対し、メモリ３１０に管理された印刷データを送信し、プリンタ３から印刷完了通知を受けた時点で、印刷完了フラグ１００１に「１」を設定する。
【００９９】
クレードル装置２はデジタルカメラ１から転送完了通知を受け取ると、図１１に示す終了処理を開始し、表示／発音部３０３に対し終了表示又は終了発音を行い（ステップＳ１１０１）、アイドルモード８００に遷移し（ステップＳ１１０２）、本処理を終了する。
【０１００】
ステップＳ１１０１の終了表示又は終了発音とは、デジタルカメラ１をクレードル装置２から取り外すことができることをユーザに認識させる為の表示又は音声による通知である。例えば、この表示又は音声は、「データ転送が終了しました」や「デジタルカメラ１を取り外すことができます」等である。
【０１０１】
以上説明したように、本実施の形態によれば、デジタルカメラ１は、全プリント用のデータの転送が完了した時点で、クレードル装置２に対し転送完了通知を行い（ステップＳ６０８）、表示／発音部５４で終了表示又は終了発音を行う（ステップＳ６０９）。
【０１０２】
これにより、デジタルカメラ１からのデータ送信が完了した時点で、ユーザはデジタルカメラ１がクレードル装置２から離脱可能であることを認識でき、プリンタ３による印刷が完了する前に、デジタルカメラ１を撮影に利用することができる。
【０１０３】
また、ステップＳ６０９の終了表示又は終了発音をして、所定時間経過後に、表示／発音部５４の終了表示又は終了発音を消して（オートシャットオフ機能の実行）、電源部８６の自動充電が開始される（ステップＳ６１０）。これにより、デジタルカメラ１をクレードル装置２に接続したまま放置しても、終了表示又は終了発音がいつまでも行われることがなく、電源部８６の充電処理に移行される。結果として、デジタルカメラ１の電力消費を少なくすることができ、また、クレードル装置２に接続されているにもかかわらず、充電されずに、次の使用時に電力不足になっているという不都合を回避することができる。
【０１０４】
さらに、クレードル装置２はデジタルカメラ１から転送完了通知を受け取ると、表示／発音部３０３に対し終了表示又は終了発音を行う（ステップＳ１１０１）ので、ユーザはデジタルカメラ１がクレードル装置２から離脱可能であることを認識できる。そして、プリンタ３による印刷が完了する前に、デジタルカメラ１を撮影に利用することができる。
【０１０５】
本実施の形態では、デジタルカメラ１がクレードル装置２に接続されているときに、終了表示又は終了発音を行う（ステップＳ６０９）。例えば、「データ転送が終了しました」や「デジタルカメラ１を取り外すことができます」等の表示又は発音をしたが、さらに、表示／発音部５４で「このまま、シャットダウンして、充電処理に移行する」等の表示や発音をしてもよい。
【０１０６】
また、デジタルカメラ１をプリンタ３に直接接続したときと、クレードル装置２を介してプリンタ３に接続したときとの、表示／発音部５４の表示内容や発音内容を変えるようにしてもよい。具体的には、プリンタ３に直接接続されているときには、データ転送終了によって表示／発音部５４は「データ転送が終了しました」や「デジタルカメラ１を取り外すことができます」等の表示や発音をする。一方、クレードル装置２を介してプリンタ３に接続されているときには、「データ転送が終了しました」や「デジタルカメラ１を取り外すことができます」等の表示や発音をする。さらにそれ以外に、「このまま、シャットダウンして、充電処理に移行します（電源部８６の充電の開始）」等の表示や発音を行うようにしても良い。
【０１０７】
また、本発明の目的は、実施形態の機能を実現するソフトウェアのプログラムコードを記録した記憶媒体を、システム或いは装置に供給してもよい。そして、そのシステム或いは装置のコンピュータ（またはＣＰＵやＭＰＵ等）が記憶媒体に格納されたプログラムコードを読み出して実行することによっても達成される。
【０１０８】
この場合、記憶媒体から読み出されたプログラムコード自体が前述した実施の形態の機能を実現することになり、そのプログラムコード及び該プログラムコードを記憶した記憶媒体は本発明を構成することになる。
【０１０９】
又、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷでもよい。また、磁気テープ、不揮発性のメモリカード、ＲＯＭ等を用いることもできる。または、プログラムコードをネットワークを介してダウンロードしてもよい。
【０１１０】
また、コンピュータが読み出したプログラムコードを実行することにより、コンピュータ上で稼動しているＯＳ（オペレーティングシステム）等が実際の処理の一部または全部を行い、その処理によって前述した実施形態の機能が実現される場合も含まれる。
【０１１１】
更に、記憶媒体から読み出されたプログラムコードが、コンピュータに挿入された機能拡張ボードやコンピュータに接続された機能拡張ユニットの処理によって前述した実施形態の機能が実現される場合も含まれる。
【０１１２】
機能拡張ボードや機能拡張ユニットに備わるメモリにプログラムコードが書き込まれ、そのプログラムコードの指示に基づき、機能拡張ボード等のＣＰＵ等が実際の処理の一部または全部を行い、前述した実施形態の機能が実現される場合も含まれる。
【図面の簡単な説明】
【０１１３】
【図１】本発明の実施の形態に係る撮像装置を含む印刷システムの構成を示す図である。
【図２】デジタルカメラ１の構成を示すブロック図である。
【図３】クレードル装置２の構成を示すブロック図である。
【図４】プリンタ３の構成を示すブロック図である。
【図５】プリント指定ファイルに含まれるプリント指定情報の一例を示す図である。
【図６】クレードル装置２と接続したときにデジタルカメラ１で実行される処理を示すフローチャートである。
【図７】図６のステップＳ６０７のプリント処理を詳細に示すフローチャートである。
【図８】クレードル装置２の状態遷移を示す図である。
【図９】クレードル装置２がプリント開始時に実行する処理を示すフローチャートである。
【図１０】クレードル装置２に格納される管理情報の一例を示す図である。
【図１１】クレードル装置２で実行される終了処理を示すフローチャートである。
【符号の説明】
【０１１４】
１  デジタルカメラ
２  クレードル装置
３  プリンタ
１４  撮像素子
２０  画像処理回路
５０  システム制御回路
５４  表示／発音部
８６  電源部
１１０  通信部
１１２  コネクタ（アンテナ）
３００  システム制御部
３０１  カメラ側通信制御部
３０３  表示／発音部
３１０  メモリ
３１１  カメラ側コネクタ
【図１】
2007036697.tif 000003
【図２】
2007036697.tif 000004
【図３】
2007036697.tif 000005
【図４】
2007036697.tif 000006
【図５】
2007036697.tif 000007
【図６】
2007036697.tif 000008
【図７】
2007036697.tif 000009
【図８】
2007036697.tif 000010
【図９】
2007036697.tif 000011
【図１０】
2007036697.tif 000012
【図１１】
2007036697.tif 000013